(57)【特許請求の範囲】
【請求項１】
架台と、
前記架台の上側に配設される表層板と、
前記架台と前記表層板との間に配設され、前記表層板の下面と当接する凸部と、前記架台の上面と当接する凹部とを有する中間板と
を備える床構造であって、
前記架台の縁部には、壁部材が立設される壁設置部が設けられており、
前記表層板の下面には、前記中間板に向けて突出したリブが設けられており、前記リブは、前記中間板の前記凹部と前記表層板の下面との間に形成された緩衝空間に挿入されており、
前記架台の前記壁設置部が、底壁部と、前記底壁部の内側辺縁から上方に延出する内側壁部とを有し、前記表層板の前記リブと前記壁設置部の前記内側壁部とが当接して、前記表層板と前記壁部材とが固定される
ことを特徴とする床構造。
【請求項２】
平面視長方形状の床構造において、前記表層板の前記リブが前記床構造の短手方向に対して平行に設けられており、前記中間板の前記凹部が前記床構造の短手方向に対して平行であることを特徴とする請求項１に記載の床構造。
【発明の詳細な説明】
【技術分野】
【０００１】
本発明は、床構造に関し、より詳細には、浴室等の水廻りの床構造に関する。
【背景技術】
【０００２】
従来、浴室等の水廻り用の床材として樹脂製の成型品が使用されている。例えば、特許文献１では、湯水を使用する場所の水漏れ防止のために使用される防水パンに関して、強度および表面性能に優れ、工業的にも容易に製造でき、リサイクルも可能な構造が提案されている。
【０００３】
また、実際の使用環境に応じた様々な性能要求を満たすために、防水パンとしての樹脂成型品と各種の部材とを組み合わせた床構造が提案されている。例えば、特許文献２では、浴室等の衛生設備室に要求される防水機能等を満足しつつ、素材選択性、リサイクル性などの利点を得る観点から、フレーム状架台と、板状架台と、防水パンと、表面意匠シートとを備えた床が提案されている。また、特許文献３では、高い断熱性と剛性とを有する構造とする観点から、樹脂製のパネル状の洗い場パンと、洗い場パンの下側に配設される補強板と、洗い場パンと補強板との間に配設される断熱部材とを有する洗い場構造が提案されている。
【０００４】
このような床構造においては、防水パン上の湯水を周囲に漏らさないようにするために、例えば、特許文献１に記載されるように、防水パンの周縁部に堰の役目を果たす縦壁を設けることが一般的であった。また、防水パンの周縁部に縦壁を設けない場合には、例えば、特許文献２に記載されるように、防水パンの縁部に壁パネルを立設する構造とすることで、防水性を充足させていた。
【先行技術文献】
【特許文献】
【０００５】
【特許文献１】特開平１１−２１００３９号公報
【特許文献２】特開２０１１−１４９２７２号公報
【特許文献３】特開２０１０−２５５２３０号公報
【発明の概要】
【発明が解決しようとする課題】
【０００６】
しかしながら、一般に、浴室等の水廻りのデザインは多種多様であるため、上記のような床構造を製造するためには、目的の床寸法に対応する金型を個別に設計しなければならず、製造効率や製造コスト等の観点からは、さらなる改善の余地があるという課題があった。また、防水パンとして板状の成型品を用いる場合であっても、成型後の防水パンは製品としての性能を満たす程度の強度を備えかつ一定の厚みを有しているため、目的の床寸法に応じて所望のサイズにカットすることは現実的な解決手段ではないという課題があった。
【０００７】
本発明は、以上のとおりの事情に鑑みてなされたものであり、床構造の用途に応じた所望の性能を損なうことなく、床寸法に応じたサイズ変更の自由度が高い床構造を提供することを目的としている。
【課題を解決するための手段】
【０００８】
上記の目的を達成するために、本発明の床構造は、
架台と、
前記架台の上側に配設される表層板と、
前記架台と前記表層板との間に配設され、前記表層板の下面と当接する凸部と、前記架台の上面と当接する凹部とを有する中間板と
を備える床構造であって、
前記架台の縁部には、壁部材が立設される壁設置部が設けられており、
前記表層板の下面には、前記中間板に向けて突出したリブが設けられており、前記リブは、前記中間板の前記凹部と前記表層板の下面との間に形成された緩衝空間に挿入されており、
前記架台の前記壁設置部が、底壁部と、前記底壁部の内側辺縁から上方に延出する内側壁部とを有し、前記表層板の前記リブと前記壁設置部の前記内側壁部とが当接して、前記表層板と前記壁部材とが固定されることを特徴とする。
【発明の効果】
【０００９】
本発明によれば、床構造の用途に応じた所望の性能を損なうことなく、床寸法に応じたサイズ変更の自由度が高い床構造が提供される。
【図面の簡単な説明】
【００１０】
【図１】本発明の一実施形態に係る床構造の模式斜視図である。
【図２】本発明の一実施形態に係る床構造の模式分解斜視図である。
【図３】本発明の一実施形態に係る床構造の要部断面構造を示す模式図である。
【発明を実施するための形態】
【００１１】
以下、本発明の実施形態について、浴室の床構造について例示した図面を参照しつつ詳細に説明する。
【００１２】
図１は、本発明の一実施形態に係る床構造の模式斜視図である。図２は、本発明の一実施形態に係る床構造の模式分解斜視図である。図３は、本発明の一実施形態に係る床構造の要部断面構造を示す模式図である。
【００１３】
本実施形態に係る床構造１は、図１〜図３に示すように、架台２と、架台２の上側に配設される表層板３と、架台２と表層板３との間に配設される中間板４とを備えている。中間板４は、図３に示すように、表層板３の下面と当接する凸部４１と、架台２の上面と当接する凹部４２とを有している。架台２の縁部２４には、壁部材５が立設される壁設置部２１が設けられている。表層板３の下面には、中間板４に向けて突出したリブ３１が設けられており、リブ３１は、中間板４の凹部４２と表層板３の下面との間に形成された緩衝空間６に挿入されている。なお、本実施形態に係る床構造１は、例えば、平面視長方形状とすることができる。
【００１４】
架台２は、図２（ｃ）に示すように、床構造１の長手方向に延びる第一梁部材２２が対向して配置され、第一梁部材２２の両端に、床構造１の短手方向に延びる第二梁部材２３が対向して配置されて、外形が平面視長方形状となるように構成されている。第一梁部材２２および第二梁部材２３の内側には、第一梁部材２２と平行に延びる第一中間梁部材２２ａが配置され、隣り合う２本の第一中間梁部材２２ａが、第二梁部材２３と平行に延びる第二中間梁部材２３ａで連結されている。また、第二中間梁部材２３ａは、第一梁部材２２と、これと隣り合う第一中間梁部材２２ａとをも連結している。
【００１５】
架台２は、浴室構造体の最下部に配置されて、表層板３、中間板４、壁部材５等の重みや、床上を人等が動くことによる動荷重を受け止める土台として機能する。そのため、十分な強度を確保する観点から、架台２を構成する第一梁部材２２、第二梁部材２３、第一中間梁部材２２ａ、および第二中間梁部材２３ａとしては、金属製の角材を用いることが好ましく考慮される。
【００１６】
架台２のサイズは、浴室の床寸法に応じて、第一梁部材２２、第二梁部材２３、第一中間梁部材２２ａ、または第二中間梁部材２３ａの長さを調節することにより変更することができる。
【００１７】
なお、架台２は、浴室が設置される建物床上に据え付けるために、必要に応じて、支持用の脚部（図示せず）を備えていてもよい。
【００１８】
架台２の縁部２４を構成する第一梁部材２２および第二梁部材２３には、壁設置部２１が設けられている。本実施形態に係る床構造１では、長手側の一端には浴室における浴槽（図示せず）が配置されるため、壁設置部２１は、一方の第一梁部材２２と両方の第二梁部材２３とに設けられている。このように、架台２において壁設置部２１を設ける部分や数等は、床構造１の用途等に応じて適宜設計することができる。
【００１９】
壁設置部２１は、図３に示すように、底壁部２１ａと、底壁部２１ａの内側辺縁２１ａ１から上方に延出する内側壁部２１ｂと、底壁部２１ａの外側辺縁２１ａ２から上方に延出する外側壁部２１ｃとを有している。壁設置部２１は、底壁部２１ａと内側壁部２１ｂと外側壁部２１ｃとによって、上方に開口した開口部２１ｄを形成しており、開口部２１ｄに壁部材５を挿入することで、壁部材５が立設されるように構成されている。なお、図３において、両向き矢印は床構造１の長手方向を示す。
【００２０】
壁設置部２１のサイズ、すなわち、底壁部２１ａ、内側壁部２１ｂ、外側壁部２１ｃの各々のサイズは、立設される壁部材５のサイズ等に応じて適宜設計することができる。例えば、図３に示すように、底壁部２１ａの幅は、第二梁部材２３の幅と同一にすることができる。また、内側壁部２１ｂの高さは、中間板４の高さと同一にすることができる。そして、外側壁部２１ｃの高さは、内側壁部２１ｂの高さよりも高くすることができる。このようにすると、壁部材５をより安定して立設することができ、また、表層板３の端部３ａを内側壁部２１ｂで下から支えることができるので好ましい。
【００２１】
表層板３は、図２（ａ）に示すように、平面視長方形状であり、その下面には、中間板４に向けて突出したリブ３１が設けられている。また、表層板３は、その上面には浴室における浴槽側面のエプロンを載せるために、長手側の一端にエプロン載置部３２を有しており、エプロン載置部３２付近の長手方向の中間位置に排水用開口部３３が形成されている。
【００２２】
表層板３の材質は、床構造１の用途、表層板３に必要とされる強度、防水性、成形性、意匠性等を考慮して適宜選択することができる。例えば、ＦＲＰ（Fiber Reinforced Plastic）、ポリプロピレン、ポリエチレン、ＡＢＳ等の熱可塑性樹脂が挙げられるが、これらに限定されない。なお、表層板３は、単一の材料から構成されていてもよく、複数の材料を組み合わせて構成されていてもよい。
【００２３】
リブ３１は、表層板３の反りを抑制する機能を有している。表層板３の反りをより効果的に抑制する観点からは、リブ３１は、図３に示すように、床構造１の短手方向に対して平行に、つまり、図３における紙面貫通方向に設けられていることが好ましい。すなわち、本実施形態では、リブ３１とエプロン載置部３２とを交差する方向に設けることにより、表層板３は、エプロン載置部３２によって表層板３の長手方向の反りが抑制され、リブ３１によって短手方向の反りが抑制される構成とされている。
【００２４】
このように、エプロン載置部３２による長手方向の反りの抑制効果と、リブ３１による短手方向の反りの抑制効果とによって、表層板３全体の形状をより効果的に保つことができるため、表層板３は、従来の樹脂成型品よりも薄肉にすることができる。
【００２５】
表層板３のサイズは、浴室の床寸法に応じてカットすることによって変更することができる。ここで、表層板３において、サイズ変更のためにカットすることが想定される部位には、例えば、滑り止めや意匠のための凹凸パターン等の表面加工を付与せず、平坦な構造とすることが好ましく考慮される。
【００２６】
中間板４は、図２（ｂ）に示すように、平面視長方形状であって、長手方向の断面が波型のデッキプレート状である。より具体的には、中間板４は、図３に示すように、表層板３の下面と当接する凸部４１と、架台２の上面と当接する凹部４２とを有している。また、中間板４は、図２（ｂ）に示すように、表層板３の排水用開口部３３に対応する位置に、排水用開口部４３が形成されている。
【００２７】
中間板４の材質は、床構造１の用途等に応じて適宜選択することができ、例えば、架台２と組み合わせることで床構造１の強度をより高める観点等から、中間板４を金属製とすることが好ましく考慮される。
【００２８】
なお、中間板４のサイズは、架台２および表層板３のサイズ等に応じて適宜調節される。また、中間板４の凹部４２は、図３に示すように、床構造１の短手方向に対して平行に設けられたリブ３１に対応して、床構造１の短手方向に対して平行であることが好ましい。
【００２９】
本実施形態に係る床構造１では、図３に示すように、中間板４の凹部４２と表層板３の下面との間に緩衝空間６が形成されており、表層板３のリブ３１は、緩衝空間６に挿入されている。
【００３０】
緩衝空間６は、表層板３を中間板４の上に載せた際に、表層板３の下面と、これと対向する中間板４の凹部４２と、凹部４２と隣り合う凸部４１とによって形成される空間である。そのため、中間板４における凸部４１および凹部４２の配置位置や間隔等は、表層板３のリブ３１が凸部４１または凹部４２と干渉することなく緩衝空間６に挿入されるように、適宜調節することができる。また、緩衝空間６は、リブ３１が挿入されるための構造的な緩衝空間としてのみならず、例えば、架台２と表層板３との間の熱的な緩衝空間としての機能等を果たすこともできる。
【００３１】
本実施形態では、表層板３の縁部３ａ付近に位置するリブ３１ａは、壁設置部２１に立設された壁部材５を固定するための固定部としての役割も果たしている。すなわち、本実施形態に係る床構造１では、図３に示すように、リブ３１ａと壁設置部２１の内側壁２１ｂとが当接して、接着剤、ビス等によって表層板３と壁部材５とが固定されている。なお、このとき、表層板３の縁部３ａは壁部材５と当接しており、縁部３ａの下面と内側壁２１ｂの上面とが当接している。縁部３ａと壁部材５との当接部分には、床構造１の用途等に応じて、防水加工等が施される。
【００３２】
リブ３１の設置位置や形状等は、本発明の目的、効果を阻害しない範囲において、適宜設計することができる。例えば、表層板３をカットした場合であってもリブ３１ａと壁設置部２１の内側壁部２１ｂとが当接して表層板３と壁部材５とが固定されるように、リブ３１の設置位置を設定することができる。換言すると、表層板３をカットする場合のカット位置は、リブ３１ａと壁設置部２１の内側壁部２１ｂとが当接して表層板３と壁部材５とが固定されることを考慮して、適宜調節される。
【００３３】
また、リブ３１の設置間隔は緩衝空間６に挿入可能な範囲である限りにおいて特に制限されず、一定間隔で設けてもよく、あるいは、例えば、表層板３の縁部３ａ側において中心部よりも狭い間隔で設けてもよい。また、リブ３１の形状や向き等も緩衝空間６に挿入可能な範囲である限りにおいて特に制限されず、直線状であっても曲線状であってもよく、一方向に並んでいてもよく、複数の方向に向いたリブ３１が交差するように設けてもよい。
【００３４】
このように、本実施形態に係る床構造１は、架台２と、架台２の上側に配設される表層板３と、架台２と表層板３との間に配設される中間板４とを備えているので、浴室の床構造として必要な防水性、強度、成形性、意匠性を有している。また、架台２の縁部２４に、壁部材５が立設される壁設置部２１が設けられているので、従来の防水パンのように、表層板３の周縁部に堰の役目を果たす縦壁を設けることを要しない。そして、表層板３の下面には、中間板４に向けて突出したリブ３１が設けられ、緩衝空間６に挿入されているので、従来の樹脂成型品よりも表層板３を薄肉にすることができ、床寸法に応じてカットすることによってサイズを変更することができる。
【００３５】
以上、本発明の実施形態を詳述してきたが、具体的な形態はこれらの実施形態に限られるものではなく、本発明の要旨を逸脱しない範囲における設計の変更等があっても本発明に含まれる。例えば、壁設置部２１には内側壁部２１ｂを設けずに、表層板３の縁部３ａおよびリブ３１ａと壁部材５とが当接するようにして、表層板３と壁部材５とを固定してもよい。この場合、リブ３１ａと表層板３の縁部３ａとが面一となる。また、本発明の床構造は浴室用途に限定されるものではなく、その他の水廻りの床構造にも適用することができる。
【符号の説明】
【００３６】
１  床構造
２  架台
２１  壁設置部
２１ａ  底壁部
２１ａ１  内側辺縁
２１ｂ  内側壁部
３  表層板
３１  リブ
４  中間板
４１  凸部
４２  凹部
５  壁部材
６  緩衝空間
【図１】
0006481931.tif 000002
【図２】
0006481931.tif 000003
【図３】
0006481931.tif 000004